(57)【要約】【課題】動画又は静止画への画像処理を編集シートを用いて容易に行うことを可能とする。【解決手段】動画のシーンを特定するサムネイル画像を含む編集シートをスキャンすることによって、サムネイル画像の所定の領域に付された処理を特定するための記号を読み込む画像読取工程（Ｓ５８）と、記号が付されたサムネイル画像で特定される動画のシーンに対して記号により特定される処理を施す画像処理工程（Ｓ６０，Ｓ６２）と、を備えることを特徴とする画像編集方法。【選択図】図３６
2009038484.tif 000002
【特許請求の範囲】
【請求項１】
記憶部に記憶されている動画のシーンを特定するサムネイル画像を含む編集シートをスキャンすることによって、サムネイル画像に対する所定の領域に付された処理を特定するための記号を読み込む画像読取部を備え、
前記記号が付されたサムネイル画像で特定される動画のシーンに対して前記記号により特定される処理を施すことを特徴とする画像編集装置。
【請求項２】
請求項１に記載の画像編集装置であって、
前記編集シートはそれぞれ特有の符号が割り付けられた自由記入領域をさらに備え、
前記画像読取部において、サムネイル画像内に符号が付された編集シートを読み取った場合、
前記符号が割り付けられた自由記入領域から読み取られた静止画を動画に変換し、当該動画を前記符号が付されたサムネイル画像で特定される動画のシーンに合成することを特徴とする画像編集装置。
【請求項３】
請求項２に記載の画像編集装置であって、
前記画像読取部において、サムネイル画像内に付された符号に矢印が付けられている編集シートを読み取った場合、
前記符号が割り付けられた自由記入領域から読み取られた静止画を画面内で前記矢印で特定される方向へ移動する動画に変換し、当該動画を前記符号が付されたサムネイル画像で特定される動画のシーンに合成することを特徴とする画像編集装置。
【請求項４】
請求項１に記載の画像編集装置であって、
前記編集シートはそれぞれ特有の符号が割り付けられた自由記入領域をさらに備え、
前記画像読取部において、サムネイル画像間に符号が付された編集シートを読み取った場合、
前記符号が割り付けられた自由記入領域から読み取られた静止画を動画に変換し、当該動画を前記符号の前後のサムネイル画像で特定される動画のシーン間に挿入することを特徴とする画像編集装置。
【請求項５】
請求項４に記載の画像編集装置であって、
前記画像読取部において、サムネイル画像間に付された符号に矢印が付けられている編集シートを読み取った場合、
前記符号が割り付けられた自由記入領域から読み取られた静止画を画面内で前記矢印で特定される方向へ移動する動画に変換し、当該動画を前記符号の前後のサムネイル画像で特定される動画のシーン間に挿入することを特徴とする画像編集装置。
【請求項６】
請求項３又は５に記載の画像編集装置であって、
前記符号が割り付けられた自由記入領域から読み取られた静止画を画面内で前記矢印の軌跡に沿って移動する動画に変換することを特徴とする画像編集装置。
【請求項７】
請求項３又は５に記載の画像編集装置であって、
前記符号が割り付けられた自由記入領域から読み取られた静止画を画面内で前記矢印の方向を量子化した方向に沿って移動する動画に変換することを特徴とする画像編集装置。
【請求項８】
請求項１に記載の画像編集装置であって、
前記画像読取部において、サムネイル画像にフェードイン処理を示す記号が付された編集シートが読み取られた場合、
前記フェードイン処理を示す記号が付されたサムネイル画像で特定される動画のシーンが、その前の動画のシーンに続いて徐々に強く表示されるようにフェードイン処理を施すことを特徴とする画像編集装置。
【請求項９】
請求項１に記載の画像編集装置であって、
前記画像読取部において、サムネイル画像にフェードアウト処理を示す記号が付された編集シートが読み取られた場合、
前記フェードアウト処理を示す記号が付されたサムネイル画像で特定される動画のシーンが、その後の動画のシーンに続くように徐々に弱く表示されるようにフェードアウト処理を施すことを特徴とする画像編集装置。
【請求項１０】
請求項１に記載の画像編集装置であって、
前記画像読取部において、サムネイル画像にワイプイン処理を示す記号が付された編集シートが読み取られた場合、
前記にワイプイン処理を示す記号が付されたサムネイル画像で特定される動画のシーンが、その前の動画のシーンの最後に重ね合わせて徐々に現れるようにワイプイン処理を施すことを特徴とする画像編集装置。
【請求項１１】
請求項１０に記載の画像編集装置であって、
前記ワイプイン処理を示す記号が付されたサムネイル画像で特定される動画のシーンが、ワイプイン処理を示す記号が付されたサムネイル画像の縁の方向へ向けて徐々に現れるようにワイプイン処理を施すことを特徴とする画像編集装置。
【請求項１２】
記憶部に記憶されている動画のシーンを特定するサムネイル画像を含む編集シートをスキャンすることによって、サムネイル画像に対して所定の領域に付された処理を特定するための記号を読み込む画像読取工程と、
前記記号が付されたサムネイル画像で特定される動画のシーンに対して前記記号により特定される処理を施す画像処理工程と、
を備えることを特徴とする画像編集方法。
【請求項１３】
記憶部に記憶されている動画のシーンを特定するサムネイル画像を含む編集シートをスキャンすることによって、サムネイル画像に対して所定の領域に付された処理を特定するための記号を読み込む画像読取部を備えるコンピュータシステムにより、
前記記号が付されたサムネイル画像で特定される動画のシーンに対して前記記号により特定される処理を施すことを特徴とする画像編集プログラム。
【発明の詳細な説明】
【技術分野】
【０００１】
本発明は、静止画を動画の一部として挿入するための画像編集装置、画像編集方法及び画像編集プログラムに関する。
【背景技術】
【０００２】
近年、デジタルカメラ等により一般ユーザも動画撮影ができるようになっている。これに伴い、動画にシーンタイトルをつける等のために、別に撮影した静止画を動画の一部として挿入する動画編集の利用場面が増えてきている。
【０００３】
このような動画編集を行う場合、パーソナルコンピュータに動画と静止画を取り込んでおき、動画編集ソフトウェア等を用いて動画編集を行うのが一般的である。しかしながら、コンピュータ操作になれていないユーザも多く、最近は、デジタルカメラのディスプレイに動画の代表シーンをサムネイル表示し、カメラで撮影した静止画を挿入画像として指定させる方法等が採用されている。
【０００４】
特許文献１には、動画のシーンをサムネイルとしてデジタルカメラのディスプレイに表示し、サムネイルを選択することで静止画の挿入点を指定する技術が開示されている。挿入すべき静止画はカメラの撮影や機器へのテキスト入力に基づいて生成される。
【０００５】
また、特許文献２には、手書きメッセージ等の画像を他の画像に合成するにあたり、コンピュータを用いず、画像の合成領域と合成内容を記載指示した紙をスキャナ等の画像入力装置で入力し、装置内に含まれる既存画像と合成した画像を生成する技術が開示されている。ここでは、合成された画像を印刷出力することもできる。
【０００６】
プリンタ、複写機、スキャナ等が一体化された複合機の中には、デジタルカメラの動画・静止画を格納したメモリカード等の記録媒体を装着し、その記録媒体から動画・静止画を読み取る機能をもつものがある。動画シーンの一覧を印刷したり、動画への静止画挿入の原稿入力に複合機を用いて編集を指示したりすれば、コンピュータ操作やデジタルカメラのディスプレイでの操作になれていない利用者でも容易に動画編集ができると考える。
【０００７】
また、特許文献３及び４には、動画をシーン毎に自動分割し、各シーンの代表的な画像を静止画として作成し、静止画の縮小画像を同一用紙に連続印刷する技術が開示されている。
【０００８】
【特許文献１】特開２００４−１８６９２５号公報
【特許文献２】特開２００６−５４６９０号公報
【特許文献３】特開平７−９５５０５号公報
【特許文献４】特開２０００−３２４３８８号公報
【発明の開示】
【発明が解決しようとする課題】
【０００９】
しかしながら、デジタルカメラにサムネイル画像を表示する場合、デジタルカメラの表示画面は一般的に小さく、画面を切り替えないと全体的な表示ができず、ユーザが目的の画像を選択し難いという問題がある。また、サムネイル自体も小さく、ユーザが画像を確認し難いという問題もある。
【００１０】
また、デジタルカメラに装備できるボタンの数等の制約があり、静止画の挿入に多くの手順が必要となり、作業が繁雑となる問題もある。また、添付文書を挿入したい場合、カメラ撮影によってその文書を取り込む必要があるため、取り込んだ文書のずれや歪みが生じ易い。
【課題を解決するための手段】
【００１１】
本発明の一態様は、記憶部に記憶されている動画のシーンを特定するサムネイル画像を含む編集シートをスキャンすることによって、サムネイル画像に対して所定の領域に付された処理を特定するための記号を読み込む画像読取部を備え、前記記号が付されたサムネイル画像で特定される動画のシーンに対して前記記号により特定される処理を施すことを特徴とする画像編集装置である。
【００１２】
上記画像編集装置は、例えば、記憶部に記憶されている動画のシーンを特定するサムネイル画像を含む編集シートをスキャンすることによって、サムネイル画像に対して所定の領域に付された処理を特定するための記号を読み込む画像読取部を備えるコンピュータシステムにより、前記記号が付されたサムネイル画像で特定される動画のシーンに対して前記記号により特定される処理を施すことを特徴とする画像編集プログラムを実行することで実現する。
【００１３】
これにより、記憶部に記憶されている動画のシーンを特定するサムネイル画像を含む編集シートをスキャンすることによって、サムネイル画像の所定の領域に付された処理を特定するための記号を読み込む画像読取工程と、前記記号が付されたサムネイル画像で特定される動画のシーンに対して前記記号により特定される処理を施す画像処理工程と、を備えることを特徴とする画像編集方法を実現する。
【００１４】
ここで、前記編集シートはそれぞれ特有の符号が割り付けられた自由記入領域をさらに備え、前記画像読取部において、サムネイル画像内に符号が付された編集シートを読み取った場合、前記符号が割り付けられた自由記入領域から読み取られた静止画を動画に変換し、当該動画を前記符号が付されたサムネイル画像で特定される動画のシーンに合成するものとしてもよい。
【００１５】
さらに、前記画像読取部において、サムネイル画像内に付された符号に矢印が付けられている編集シートを読み取った場合、前記符号が割り付けられた自由記入領域から読み取られた静止画を画面内で前記矢印で特定される方向へ移動する動画に変換し、当該動画を前記符号が付されたサムネイル画像で特定される動画のシーンに合成するものとしてもよい。
【００１６】
また、前記編集シートはそれぞれ特有の符号が割り付けられた自由記入領域をさらに備え、前記画像読取部において、サムネイル画像間に符号が付された編集シートを読み取った場合、前記符号が割り付けられた自由記入領域から読み取られた静止画を動画に変換し、当該動画を前記符号の前後のサムネイル画像で特定される動画のシーン間に挿入するものとしてもよい。
【００１７】
さらに、前記画像読取部において、サムネイル画像間に付された符号に矢印が付けられている編集シートを読み取った場合、前記符号が割り付けられた自由記入領域から読み取られた静止画を画面内で前記矢印で特定される方向へ移動する動画に変換し、当該動画を前記符号の前後のサムネイル画像で特定される動画のシーン間に挿入するものとしてもよい。
【００１８】
また、前記符号が割り付けられた自由記入領域から読み取られた静止画を画面内で前記矢印の軌跡に沿って移動する動画に変換するものとしてもよいし、前記符号が割り付けられた自由記入領域から読み取られた静止画を画面内で前記矢印の方向を量子化した方向に沿って移動する動画に変換するものとしてもよい。
【００１９】
また、前記画像読取部において、サムネイル画像にフェードイン処理を示す記号が付された編集シートが読み取られた場合、前記フェードイン処理を示す記号が付されたサムネイル画像で特定される動画のシーンが、その前の動画のシーンに続いて徐々に強く表示されるようにフェードイン処理を施すものとしてもよい。
【００２０】
また、前記画像読取部において、サムネイル画像にフェードアウト処理を示す記号が付された編集シートが読み取られた場合、前記フェードアウト処理を示す記号が付されたサムネイル画像で特定される動画のシーンが、その後の動画のシーンに続くように徐々に弱く表示されるようにフェードアウト処理を施すものとしてもよい。
【００２１】
また、前記画像読取部において、サムネイル画像にワイプイン処理を示す記号が付された編集シートが読み取られた場合、前記にワイプイン処理を示す記号が付されたサムネイル画像で特定される動画のシーンが、その前の動画のシーンの最後に重ね合わせて徐々に現れるようにワイプイン処理を施すものとしてもよい。
【００２２】
さらに、前記ワイプイン処理を示す記号が付されたサムネイル画像で特定される動画のシーンが、ワイプイン処理を示す記号が付されたサムネイル画像の縁の方向へ向けて徐々に現れるようにワイプイン処理を施すものとしてもよい。
【発明の効果】
【００２３】
請求項１，１２，１３記載の発明によれば、編集シートを用いることによって動画のシーンに対する画像処理の指定及び実行を容易に行うことができる。
【００２４】
請求項２記載の発明によれば、編集シートの自由記入領域から読み込んだ画像を動画のシーンに合成する処理の指定及び実行をサムネイル画像を用いて容易に行うことができる。
【００２５】
請求項３記載の発明によれば、編集シートの自由記入領域から読み込んだ画像を動画のシーン内でスクロール（移動）させるように合成する処理の指定及び実行をサムネイル画像を用いて容易に行うことができる。
【００２６】
請求項４記載の発明によれば、編集シートの自由記入領域から読み込んだ画像を動画のシーン間に挿入する処理の指定及び実行をサムネイル画像間の領域を用いて容易に行うことができる。
【００２７】
請求項５記載の発明によれば、編集シートの自由記入領域から読み込んだ画像を動画のシーン間でスクロール（移動）させるように挿入する処理の指定及び実行をサムネイル画像間の領域を用いて容易に行うことができる。
【００２８】
請求項６記載の発明によれば、編集シートの自由記入領域から読み込んだ画像を動画の画面内で自由にスクロール（移動）させる処理の指定及び実行を矢印を記入するだけで容易に行うことができる。
【００２９】
請求項７記載の発明によれば、編集シートの自由記入領域から読み込んだ画像を動画の画面内で一方向にスクロール（移動）させる処理の指定及び実行を矢印を記入するだけで容易に行うことができる。
【００３０】
請求項８記載の発明によれば、編集シートで指定された動画のシーンに対してフェードイン処理の指定及び実行をサムネイル画像を用いて容易に施すことができる。
【００３１】
請求項９記載の発明によれば、編集シートで指定された動画のシーンに対してフェードアウト処理の指定及び実行をサムネイル画像を用いて容易に施すことができる。
【００３２】
請求項１０記載の発明によれば、編集シートで指定された動画のシーンに対してワイプイン処理の指定及び実行をサムネイル画像を用いて容易に施すことができる。
【００３３】
請求項１１記載の発明によれば、編集シートで指定された動画のシーンに対して所望
の方向に向けてワイプイン処理を容易に施すことができる。
【発明を実施するための最良の形態】
【００３４】
動画又は静止画に対する編集作業は、動画から不要なシーンを取り除く削除処理、動画のシーン間に別の動画や静止画を挿入する挿入処理、静止画のデータ間に新たな静止画を挿入する挿入処理、動画のシーンに静止画を合成する合成処理、静止画同士を合成する合成処理、動画同士を連結する連結処理等がある。以下では、まず、添付文書の静止画を動画のシーン間に挿入する挿入処理について説明する。
【００３５】
本発明の実施の形態における編集装置１００は、図１に示すように、中央処理部１０、記憶部１２、操作部１４、表示部１６、外部メモリスロット部１８、スキャナ部２０、画像形成部２２及びインターフェース部２４を含んで構成される。これらの構成部は、バスやネットワーク等の情報伝達手段によって相互に情報伝達可能に接続される。
【００３６】
中央処理部１０は、ＣＰＵ（中央制御装置）を含んで構成される。中央処理部１０は、編集装置１００の他の構成要素から情報を受け取り、その情報に対してプログラムに従って演算等の処理を施し、他の構成要素へ出力することによって情報処理を行う。
【００３７】
記憶部１２は、半導体メモリ、ハードディスク装置、光ディスク装置等の情報記憶装置を含んで構成される。記憶部１２は、編集装置１００で実行されるプログラムや編集装置１００での処理に供されるデータを格納及び保持する。
【００３８】
操作部１４は、キーボード等の文字データ入力装置、マウス等のポインティングデバイス等の情報入力装置を含んで構成される。操作部１４は、編集作業を行うユーザによって操作され、編集処理に対するユーザからの指示や処理のためのデータを受け付けるために用いられる。
【００３９】
表示部１６は、ディスプレイ等の表示装置を含んで構成される。表示部１６は、編集処理を行う際にユーザに処理対象となる動画や静止画、処理に必要なパラメータ及びそれらの入出力ためのユーザインターフェース画面をユーザに対して呈示するために用いられる。
【００４０】
外部メモリスロット部１８は、ＵＳＢメモリ、ＮＡＮＤフラッシュメモリ等の外部メモリを装着することによって、それらのメモリからデータを読み出し、それらのメモリへデータを書き込む機能を有する。
【００４１】
スキャナ部２０は、紙等の印刷媒体に画像形成されている画像を読み取るスキャナ装置を含んで構成される。スキャナ部２０は、例えば、発光素子、光電変換センサ等を含んで構成される。スキャナ部２０は、印刷媒体上の画像を読み取り、電子データに変換して中央処理部１０や記憶部１２へ送信する。
【００４２】
画像形成部２２は、編集装置１００で処理・生成された画像データを紙等の印刷媒体に画像として画像形成するプリンタ装置を含んで構成される。画像形成部２２は、例えば、電子写真印刷装置、インクジェットプリンタ装置等の一般的なプリンタ装置を含んで構成してもよい。画像形成部２２は、中央処理部１０や記憶部１２から出力された画像データ及び処理命令を含む印刷データを受けて、その画像データを処理命令に沿って印刷媒体上に画像形成する。
【００４３】
インターフェース部２４は、編集装置１００をＬＡＮ、ＷＡＮ、インターネット等の通信手段を介して他の装置へ情報伝達可能に接続するための装置を含んで構成される。インターフェース部２４は、通信手段を介して、動画や静止画等のデータを他の装置と送受信するために用いられる。インターフェース部２４は、例えば、ＴＣＰ／ＩＰ等の既存のプロトコルに則って情報伝達を実現する装置としてもよい。
【００４４】
なお、本実施の形態では、編集装置１００に含まれる中央処理部１０、記憶部１２、操作部１４、表示部１６、外部メモリスロット部１８、スキャナ部２０、画像形成部２２及びインターフェース部２４は１つの装置として構成されるものとして説明を行うがこれに限定されるものではない。例えば、ネットワーク等の情報伝達手段によって各構成要素を情報伝達可能に接続することによって、複数の装置として構成してもよい。例えば、中央処理部１０、記憶部１２、操作部１４、表示部１６、外部メモリスロット部１８及びインターフェース部２４を備えるコンピュータと、スキャナ部２０を備えるスキャナ装置と、画像形成部２２を備えるプリンタ装置等をＬＡＮ等で接続した構成としてもよい。
【００４５】
一般的なコンピュータによる情報処理と同様に、編集装置１００の各構成部での処理が組み合わされて以下にしめす編集処理の各処理を行う機能を有する手段として機能する。具体的には、編集装置１００を機能ブロック図として表すと、図２に示すように、外部記憶読書手段３０、静止画出力手段３２、静止画入力手段３４、動画シーン分解手段３６、編集シート生成手段３８、編集シート認識手段４０、動画シーン生成手段４２、画像合成手段４４及び画像連結手段４６として機能する装置として表される。
【００４６】
以下、編集装置１００を用いて、動画に静止画を挿入する編集処理について説明する。編集処理は図３のフローチャートに沿って実行される。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【００４７】
ステップＳ１０では、画像データが取得される。このステップでの処理が外部記憶読書手段３０の一部を構成する。ユーザは、外部メモリスロット部１８にメモリカード等の記録媒体を装着し、操作部１４によりメモリカードに記憶されている動画や静止画等の画像データの読み出しを指示する。中央処理部１０は、ユーザからの指示に基づいて、外部メモリスロット部１８に装着されたメモリカードに記憶されている画像データを読み出し、記憶部１２に格納及び保持させる。
【００４８】
なお、画像データの取得方法はこれに限定されるものではない。例えば、予め記憶部１２に保持されているものであってもよいし、インターフェース部２４を用いて外部のネットワークから取得してもよい。
【００４９】
ステップＳ１２では、画像データに対する処理の指定が受け付けられる。ユーザは、操作部１４を用いて、画像データに対して編集処理を開始することを指示する。中央処理部１０は、ユーザからの指示に基づいて、画像データの編集処理を開始する。
【００５０】
ステップＳ１４では、編集シートの出力処理が行われる。中央処理部１０は、静止画挿入処理が指定されると、以下の編集シート出力処理を実行する。まず、記憶部１２から動画を読み出し、動画シーン分解処理により動画をシーン毎に分割し、各シーンの代表となる静止画を生成する。動画のシーン分割処理は、例えば、ファイル毎に別のシーンとして処理してもよいし、動画のシーンの切れ目を示す編集用信号を動画のシーン毎の先頭部分に付与しておき、その編集用信号を検出して処理をしてもよい。また、各シーンの代表となる静止画は、例えば、シーン毎の先頭の画像としてもよいし、シーン毎に音声信号のレベルが最も高い部分の画像としてもよい。処理対象となる動画は、操作部１４を用いてユーザに選択させても良いし、記憶部１２に保持されている総ての動画としてもよい。この処理が動画シーン分解手段３６の一部を構成する。
【００５１】
中央処理部１０は、動画から抽出したシーン毎の代表となる静止画を縮小したサムネイル画像を生成する。サムネイル画像は、人間が認識できるシーンの代表画像から生成した縮小・減色・単純化された画像としてもよい。画像の縮小処理には、既存のアルゴリズムを用いることができる。この処理が編集シート生成手段３８の一部を構成する。
【００５２】
中央処理部１０は、さらに、図４に示すように、動画から抽出した各シーンの代表のサムネイル画像５４を１つの画像データとして纏め、各サムネイル画像５４に動画中のシーン開始時点を示すタイムコード５６、処理指示子を付加して編集シート画像を生成する。タイムコード５６は、各サムネイル画像に代表される動画のシーンが開始する時刻を表すコードである。以下、タイムコード５６を動画のシーンを特定するための情報として用いるが、動画データ内において各シーンの位置が特定できる情報であればよい。
【００５３】
また、処理指示子は、動画の連結処理、動画のシーン又は静止画に対する静止画の合成、動画のシーン間又は静止画のデータ間への静止画の挿入の指定、動画のシーン又は静止画の削除を行うための処理選択ボックス（処理選択領域）５０、処理選択ボックスを用いて選択された処理の対象となる静止画又は動画を特定する情報及び挿入・合成時間の指定を行うための条件指定ボックス（条件指定領域）５２を含む。処理選択ボックス５０は、編集シート毎に設けられる。処理選択ボックス５０は、例えば、ユーザが処理を指定し易いように編集シートの隅等に配置してもよい。また、条件指定ボックス５２は、合成先となる動画のシーンや静止画を特定し易くするため、又は、挿入先となる動画のシーン間や静止画のデータ間を特定し易くするために、編集シートの各サムネイルの前や各サムネイルの間に配置してもよい。
【００５４】
中央処理部１０は、生成された編集シート画像を画像形成部２２へ送信し、画像形成部２２によって編集シート画像を印刷媒体上に画像形成させる。この処理が編集シート生成手段３８の一部を構成する。
【００５５】
ステップＳ１６では、編集シートからのデータの読み取り処理が行われる。ユーザは、ステップＳ１４において出力された編集シートの処理選択ボックスから希望する処理を選択してチェックを書き込み、さらに、静止画を挿入先となる動画のシーンを示すサムネイル間の条件指定ボックスに挿入対象となる静止画のページ番号とその挿入秒数を書き込む。ユーザは、必要な事項を書き込んだ編集シートと、動画のシーン間に挿入したい静止画の原稿と、を合わせてスキャナ部２０にセットし、操作部１４を用いて読み込み処理の開始を指示する。
【００５６】
中央処理部１０は、読み込み処理の開始命令を受けると、スキャナ部２０にセットされた編集シート及び静止画の原稿を読み取り、そのデータを記憶部１２に格納及び保持させる。このとき、編集シートと共に読み取られた静止画には、静止画の読み取り順にページ番号を割り付けて記憶部１２に記憶させる。この処理が編集シート認識手段４０の一部を構成する。
【００５７】
例えば、図５に示すように、編集シートを先頭に、写真の画像、手書き文字の画像を順にスキャナ部２０にセットして読み取り処理を行った場合、写真の画像にページ番号１が割り振られ、手書き文字の画像にページ番号２が割り振られる。
【００５８】
ステップＳ１８では、読み取られた編集シートの画像解析が行われる。中央処理部１０は、記憶部１２に保持されている編集シートの画像データを読み出し、既存の画像解析処理を用いて、処理選択ボックス５０の中から選択された処理を抽出する。本実施の形態では、挿入処理が指定されたものとして以下の説明を行う。他の処理が選択された場合については後述する。また、読み取られた編集シートに含まれるサムネイル画像で代表される動画のシーンの識別子（動画のタイムコード等）、条件指定ボックスのうち静止画のページ番号とその表示秒数の書き込みがあるものからページ番号と秒数を読み取り、その前後のサムネイル画像で特定される動画のシーンのタイムコードと対応付ける。これらのデータは、挿入データベースとして記憶部１２に保存する。この処理が編集シート認識手段４０の一部を構成する。
【００５９】
例えば、図５に示すように、処理選択ボックスの中の静止画の挿入処理のボックスにチェックが記入されている場合には静止画の挿入処理が指定されたものと解析される。また、１番目のサムネイル画像と２番目のサムネイル画像との間の条件指定ボックスには「１」と「５」が記入されているので、１番目のサムネイル画像で特定される動画のシーンと２番目のサムネイル画像で特定される動画のシーンとの間にページ番号１で特定される静止画（本例では、写真の画像）を５秒間挿入すると解析される。同様に、２番目のサムネイル画像と３番目のサムネイル画像との間の条件指定ボックスには「２」と「３」が記入されているので、２番目のサムネイル画像で特定される動画のシーンと３番目のサムネイル画像で特定される動画のシーンとの間にページ番号２で特定される静止画（本例では、手書き文字の画像）を３秒間挿入すると解析される。その結果、図６に示すような挿入データベースが生成される。
【００６０】
ステップＳ２０では、ステップＳ１８で解析された編集シートの内容に基づいて静止画の挿入処理が行われる。中央処理部１０は、条件指定ボックスにページ番号により指定された静止画を予め設定された位置とサイズでトリミングし、動画像生成処理によって、挿入先となる動画と同じ解像度と再生速度の指定秒数の動画像に変換する。動画像生成処理には既存のアルゴリズムを用いることができる。この処理が動画シーン生成手段４２の一部を構成する。
【００６１】
例えば、図５に示すように、条件指定ボックスにおいてページ番号１とされた写真の画像は、条件指定ボックスで指定された５秒間の動画像に変換される。同様に、条件指定ボックスにおいてページ番号２とされた手書き文字の画像は、条件指定ボックスで指定された３秒間の動画像に変換される。
【００６２】
次に、中央処理部１０は、動画のタイムコードで特定される動画のシーンを記憶部１２から読み出す。すなわち、静止画の挿入対象となっているシーンのタイムコードに基づいて、動画内での挿入前後のシーンの位置を求め、その位置で動画のデータを分割する。そして、上記処理により静止画から変換された動画像を分割されたシーン間に挿入する。連結された動画のデータは新規動画データとして記憶部１２に格納及び保存される。また、記憶部１２と共に、又は、記憶部１２の代りに外部メモリスロット部１８に装着されたメモリカード等に格納してもよい。この処理が画像連結手段４６の一部を構成する。
【００６３】
例えば、図５に示す編集シート及び静止画を読み取った場合、図７に示すように、１番目のサムネイル画像で特定される動画のシーンと２番目のサムネイル画像で特定される動画のシーンとの間に写真の画像から生成された動画のシーンが５秒間挿入され、２番目のサムネイル画像で特定される動画のシーンと３番目のサムネイル画像で特定される動画のシーンとの間に手書き文字の画像から生成された動画のシーンが３秒間挿入される。
【００６４】
なお、編集シートに手書き記入した場合、ユーザよる記入漏れや、ステップＳ１６における読み取り処理、ステップＳ１８における解析処理においての誤認識の可能性があるので、ステップＳ１８の解析処理において表示部１６に処理内容を表示し、適宜ユーザが確認及び修正をすることができるようにしてもよい。
【００６５】
もちろん、動画ファイルが複数存在する場合には、複数の動画の編集シートを生成して用いてもよい。すなわち、複数の動画の編集シートと静止画の原稿とを重ねてスキャナ部２０によって読み取り、静止画の原稿を複数の動画の編集において共用してもよい。この場合、静止画のページ位置は動画の編集シートを含まない添付の原稿のページ数で指定する。
【００６６】
＜変型例１＞
本変型例における処理も上記実施の形態と同様に動画に静止画を挿入する静止画挿入処理であるが、スキャナ部２０を用いて編集シートに添付した原稿から挿入される静止画を読み取るのではなく、既に記録媒体に電子的に保存されている静止画から指定する例について説明する。
【００６７】
本変型例における処理は図８のフローチャートに沿って行われる。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【００６８】
ステップＳ１０及びＳ１２では上記実施の形態と同様に処理が行われる。ただし、ステップＳ１２では、ユーザは、操作部１４を用いて、静止画の編集シートも出力することを指示する。
【００６９】
ユーザステップＳ２２では、編集シートの出力処理が行われる。このステップでは、上記ステップＳ１４における動画の編集シートに加えて、静止画の編集シートも出力する。動画の編集シートの出力処理は、上記実施の形態と同様であるので説明を省略する。
【００７０】
中央処理部１０は、静止画の編集シートの出力も指定されると、以下の静止画の編集シート出力処理を実行する。まず、外部メモリスロット部１８に装着されたメモリカードから静止画を読み出し、読み出した静止画を縮小したサムネイル画像を生成する。サムネイル画像は、人間が認識できるシーンの代表画像から生成した縮小・減色・単純化された画像としてもよい。
【００７１】
ここでは、メモリカードには予め静止画が格納されているものとする。なお、静止画はメモリカードから読み込んでもよいし、記憶部１２に予め格納及び保持させていた静止画の画像データを読み込んでもよいし、他の手段から読み込んでもよい。もちろん、動画を読み出したメモリカードと静止画を読み出すメモリカードが同じであってもよい。画像の縮小処理には、既存のアルゴリズムを用いることができる。この処理が静止画出力手段３２の一部を構成する。
【００７２】
中央処理部１０は、さらに、各サムネイル画像に特有の番号を割り当てる。そして、図９に示すように、静止画のサムネイル画像６６を１つの画像データとして纏め、各サムネイル画像６６に割り当てた番号６４を付して静止画の編集シート画像を生成する。以下、静止画を特定するための情報として番号６４を用いるが、記録媒体内において各静止画の格納位置及び順番が特定できる情報であればよい。
【００７３】
中央処理部１０は、生成された静止画の編集シート画像を画像形成部２２へ送信し、画像形成部２２によって静止画の編集シート画像を印刷媒体上に画像形成させる。この処理が編集シート生成手段３８の一部を構成する。
【００７４】
なお、静止画の編集シートには、図９に示すように、処理指示子を付加してもよい。処理指示子は、静止画の合成処理、静止画のデータ間への静止画の挿入の指定を行うための処理選択ボックス（処理選択領域）６０、処理選択ボックスを用いて選択された処理の対象となる静止画を特定するための条件指定ボックス（条件指定領域）６２を含む。処理選択ボックス６０は、編集シート毎に設けられる。処理選択ボックス６０は、例えば、ユーザが処理を指定し易いように編集シートの隅等に配置してもよい。また、条件指定ボックス６２は、合成や挿入の対象となる静止画を特定し易くするために編集シートの各サムネイルの前や各サムネイルの間に配置してもよい。
【００７５】
ステップＳ２４では、編集シートからのデータの読み取り処理が行われる。ユーザは、ステップＳ２２において出力された動画の編集シートから希望する処理を選択してチェックを書き込む。さらに、動画の編集シートにおいて静止画を挿入先となる動画シーンのサムネイル間の条件指定ボックスに、静止画の編集シートにおける挿入対象となる静止画のサムネイル画像に付された番号とその表示秒数を書き込む。ユーザは、必要な事項を書き込んだ動画の編集シートと静止画の編集シートを重ね合わせてスキャナ部２０にセットし、操作部１４を用いて読み込み処理の開始を指示する。
【００７６】
中央処理部１０は、読み込み処理の開始命令を受けると、スキャナ部２０にセットされた動画及び静止画の編集シートを読み取り、そのデータを記憶部１２に格納及び保持させる。この処理が編集シート認識手段４０の一部を構成する。
【００７７】
ステップＳ２６では、読み取られた動画及び静止画の編集シートの画像解析が行われる。中央処理部１０は、記憶部１２に保持されている動画の編集シートの画像データを読み出し、処理選択ボックスの中から選択された処理を抽出する。本変型例では、挿入処理が指定されたものとして以下の説明を行う。読み取られた編集シートに含まれるサムネイル画像で代表される動画のシーンの識別子（動画のタイムコード等）、条件指定ボックスのうち静止画の番号とその表示秒数の書き込みがあるものから番号と秒数を読み取り、その前後のサムネイル画像で特定される動画のシーンのタイムコードと対応付ける。これらのデータは、挿入データベースとして記憶部１２に保存する。この処理が編集シート認識手段４０の一部を構成する。
【００７８】
例えば、図１０に示すような動画及び静止画の編集シートが読み込まれた場合、処理選択ボックスの中の挿入処理のボックスにチェックが記入されているので挿入処理が指定されたものと解析される。また、１番目の動画と２番目の動画のサムネイル間の条件指定ボックスに静止画の編集シートの２番目の静止画に割り当てられたＰ００１という番号と５と表示秒数を書き込まれている場合、動画の編集シートの１番目の動画と２番目の動画とのサムネイル画像間に静止画の編集シートの１番目の静止画を５秒間挿入すると解析される。この場合の挿入データベースは、図１１に示すようなものとなる。
【００７９】
ステップＳ２８では、ステップＳ２６で解析された編集シートの内容に基づいて静止画の挿入処理が行われる。中央処理部１０は、条件指定ボックスに番号を記入することによって指定された静止画を予め設定された位置とサイズでトリミングし、動画像生成処理によって、挿入先となる動画と同じ解像度と再生速度の指定秒数の動画像に変換する。動画像生成処理には既存のアルゴリズムを用いることができる。この処理が動画シーン生成手段４２の一部を構成する。
【００８０】
例えば、図１０に示すように、動画の編集シートの条件指定ボックスにおいて番号Ｐ００１と指定された静止画は、条件指定ボックスで指定された５秒間の動画像に変換される。次に、中央処理部１０は、ステップＳ２６において解析シートの画像から抽出された動画の識別子で特定される動画のデータを記憶部１２から読み出す。ステップＳ２６において挿入先となっている動画のシーンのタイムコードに基づいて、動画内での挿入前後のシーンの位置を求め、その位置で動画のデータを分割する。そして、上記処理により静止画から変換された動画像を分割されたシーン間に挿入する。生成された新たな動画のデータは新規動画データとして記憶部１２に格納及び保存される。また、記憶部１２と共に、又は、記憶部１２の代りに外部メモリスロット部１８に装着されたメモリカード等に格納してもよい。この処理が画像連結手段４６の一部を構成する。
【００８１】
例えば、図１０に示す編集シートを読み込んだ場合、図１２に示すように、番号Ｐ００１の画像は１番目のサムネイル画像で特定される動画のシーンと２番目のサムネイル画像で特定される動画のシーンとの間に５秒間の動画として挿入される。
【００８２】
なお、編集シートに手書き記入した場合、ユーザよる記入漏れや、ステップＳ２４における読み取り処理、ステップＳ２６における解析処理においての誤認識の可能性があるので、ステップＳ２６の解析処理において表示部１６に処理内容を表示し、適宜ユーザが確認及び修正をすることができるようにしてもよい。
【００８３】
もちろん、動画ファイルが複数存在する場合には、複数の動画の編集シートを生成して用いてもよい。すなわち、複数の動画の編集シートと静止画の編集シートとを重ねてスキャナ部２０によって読み取り、静止画の編集シートを複数の動画の編集において共用してもよい。この場合、動画の編集シートにおいて静止画の番号は共通に指定する。
【００８４】
＜変形例２＞
本変型例における処理は、記憶媒体に格納されている静止画の画像データに新たな静止画の画像データを挿入する例である。すなわち、既に記憶媒体にある順序で格納されている静止画の画像データに新たな静止画の画像データを挿入する例である。
【００８５】
本変型例における処理は図１３のフローチャートに沿って行われる。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【００８６】
ステップＳ１０〜Ｓ２２は上記変形例１と同様に処理が行われる。これらの処理については説明を省略する。なお、本変型例では動画の編集シートは用いないので、動画の編集シートは生成しないものとしてもよい。
【００８７】
ステップＳ３０では、編集シートからのデータの読み取り処理が行われる。ユーザは、ステップＳ２２において出力された静止画の編集シートから希望する処理を選択してチェックを書き込む。さらに、静止画を挿入したい静止画のサムネイル間の条件指定ボックスに静止画のページ番号を書き込む。ユーザは、必要な事項を書き込んだ静止画の編集シートと、挿入したい静止画の原稿と、を合わせてスキャナ部２０にセットし、操作部１４を用いて読み込み処理の開始を指示する。
【００８８】
中央処理部１０は、読み込み処理の開始命令を受けると、スキャナ部２０にセットされた静止画の編集シート及び静止画の原稿を読み取り、そのデータを記憶部１２に格納及び保持させる。このとき、編集シートと共に読み取られた静止画には、静止画の読み取り順にページ番号を割り付けて記憶部１２に記憶させる。この処理が編集シート認識手段４０の一部を構成する。
【００８９】
ステップＳ３２では、読み取られた静止画の編集シートの画像解析が行われる。中央処理部１０は、記憶部１２に保持されている編集シートの画像データを読み出し、処理選択ボックスの中から選択された処理を抽出する。本実施の形態では、挿入処理が指定されたものとして以下の説明を行う。また、読み取られた編集シートに含まれるサムネイル画像で代表される静止画の識別子（動画のファイル名等）を抽出する。この処理が編集シート認識手段４０の一部を構成する。
【００９０】
例えば、図１４に示すように、処理選択ボックスの中の挿入処理のボックスにチェックが記入されている場合には挿入処理が指定されたものと解析される。また、図１４に示すように、１番目の静止画のサムネイルの前と、１番目の静止画と２番目の静止画のサムネイル間の条件指定ボックスに静止画のページ番号１，２がそれぞれ書き込まれている場合、１番目の静止画の前に読み込んだ静止画の１ページ目の静止画を挿入し、１番目の静止画と２番目の静止画との間に読み込んだ静止画の２ページ目の静止画を挿入すると解析される。この解析結果は、図１５に示すように、挿入データベースとして記憶部１２に格納及び保持される。
【００９１】
ステップＳ３４では、ステップＳ３２で解析された編集シートの内容に基づいて静止画の挿入処理が行われる。中央処理部１０は、ステップＳ３２において挿入対象とされた静止画の画像データが格納されている記憶領域を求め、その位置に挿入対象として指定された静止画の画像データを挿入する。
【００９２】
例えば、図１４に示す編集シートの場合、図１６に示すように、番号Ｐ００１の静止画のファイルの前に読み込まれた１ページ目の写真の静止画のファイルが挿入され、番号Ｐ００１の静止画と番号Ｐ００２の静止画のファイル間には読み込まれた２ページ目の手書き文字の静止画のファイルが挿入される。
【００９３】
なお、編集シートに手書き記入した場合、ユーザよる記入漏れや、ステップＳ３０における読み取り処理、ステップＳ３２における解析処理においての誤認識の可能性があるので、ステップＳ３２の解析処理において表示部１６に処理内容を表示し、適宜ユーザが確認及び修正をすることができるようにしてもよい。
【００９４】
＜変形例３＞
本変形例における処理は、静止画を動画のシーン間に挿入する処理ではなく、動画のシーンに静止画を合成する例である。
【００９５】
本変形例における処理は図１７のフローチャートに沿って行われる。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【００９６】
ステップＳ１０〜Ｓ１６の処理は上記実施の形態と同様に行われる。したがって、ここでの説明は省略する。
【００９７】
ステップＳ３４では、読み取られた動画の編集シートの画像解析が行われる。中央処理部１０は、記憶部１２に保持されている編集シートの画像データを読み出し、処理選択ボックスの中から選択された処理を抽出する。本実施の形態では、合成処理が指定されたものとして説明を行う。また、読み取られた編集シートに含まれるサムネイル画像で代表される動画のシーンの識別子（動画のタイムコード等）、条件指定ボックスのうち静止画のページ番号とその表示秒数の書き込みがあるものからページ番号と秒数を読み取り、その後のサムネイル画像で特定される動画のシーンのタイムコードと対応付ける。これらのデータは、合成データベースとして記憶部１２に保存する。この処理が編集シート認識手段４０の一部を構成する。
【００９８】
例えば、図１８に示すように、処理選択ボックスの中の静止画の合成処理のボックスにチェックが記入されている場合には合成処理が指定されたものと解析される。また、１番目のサムネイル画像の前の条件指定ボックスには「１」と「５」が記入されているので、１番目のサムネイル画像で特定される動画にページ番号１で特定される静止画（本例では、写真の画像）を５秒間合成すると解析される。また、１番目のサムネイル画像と２番目のサムネイル画像との間の条件指定ボックスには「２」と「３」が記入されているので、２番目のサムネイル画像で特定される動画のシーンにページ番号２で特定される静止画（本例では、手書きの画像）を３秒間合成すると解析される。この場合、合成データベースは、図１９に示すものとなる。
【００９９】
ステップＳ３６では、ステップＳ３４で解析された編集シートの内容に基づいて動画のシーンに対する静止画の合成処理が行われる。中央処理部１０は、条件指定ボックスにページ番号により指定された静止画を予め設定された位置とサイズでトリミングし、動画像生成処理によって、合成先となる動画と同じ解像度と再生速度の指定秒数の動画像に変換する。動画像生成処理には既存のアルゴリズムを用いることができる。この処理が動画シーン生成手段４２の一部を構成する。
【０１００】
例えば、図１８に示すように、条件指定ボックスにおいてページ番号１とされた写真の画像は、条件指定ボックスで指定された５秒間の動画像に変換される。同様に、条件指定ボックスにおいてページ番号２とされた手書き文字の画像は、条件指定ボックスで指定された３秒間の動画像に変換される。
【０１０１】
次に、中央処理部１０は、動画のタイムコードで特定される動画のシーンを記憶部１２から読み出す。すなわち、静止画の合成対象となっているシーンのタイムコードに基づいて、動画内での挿入前後のシーンの位置を求め、その位置で動画のデータを分割する。そして、上記処理により静止画から変換された動画像を分割されたシーンの先頭部分に合成する。このようにして合成された動画のデータは新規動画データとして記憶部１２に格納及び保存される。また、記憶部１２と共に、又は、記憶部１２の代りに外部メモリスロット部１８に装着されたメモリカード等に格納してもよい。この処理が画像合成手段４４の一部を構成する。
【０１０２】
例えば、図１８に示す編集シート及び静止画を読み取った場合、図２０に示すように、１番目のサムネイル画像で特定される動画のシーンの先頭５秒に１ページ目の静止画から生成された動画が合成され、２番目のサムネイル画像で特定される動画のシーンの先頭３秒に２ページ目の静止画から生成された動画が合成される。
【０１０３】
なお、編集シートに手書き記入した場合、ユーザよる記入漏れや、ステップＳ１６における読み取り処理、ステップＳ３４における解析処理においての誤認識の可能性があるので、ステップＳ３４の解析処理において表示部１６に処理内容を表示し、適宜ユーザが確認及び修正をすることができるようにしてもよい。
【０１０４】
もちろん、動画ファイルが複数存在する場合には、複数の動画の編集シートを生成して用いてもよい。すなわち、複数の動画の編集シートと静止画の原稿とを重ねてスキャナ部２０によって読み取り、静止画の原稿を複数の動画の編集において共用してもよい。この場合、静止画のページ位置は動画の編集シートを含まない添付の原稿のページ数で指定する。
【０１０５】
また、上記変型例１のように、スキャナ部２０を用いて編集シートに添付した原稿から合成される静止画を読み取るのではなく、既に記録媒体に電子的に保存されている静止画から合成される静止画を指定してもよい。
【０１０６】
例えば、図２１に示すように、動画の編集シートと静止画の編集シートを重ね合わせてスキャナ部２０により読み込ませることによって、番号Ｐ００１の静止画が１番目のサムネイル画像で特定される動画のシーンの先頭部分に５秒間合成され、番号Ｐ００２の静止画が２番目のサムネイル画像で特定される動画のシーンの先頭部分に３秒間合成される。
【０１０７】
＜変形例４＞
本変形例における処理は、記録媒体に格納されている静止画に新たな静止画を合成する例である。
【０１０８】
本変型例における処理は図２２のフローチャートに沿って行われる。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【０１０９】
ステップＳ１０〜Ｓ２２は上記変形例２と同様に処理が行われる。これらの処理については説明を省略する。
【０１１０】
ステップＳ３８では、編集シートからのデータの読み取り処理が行われる。ユーザは、ステップＳ２２において出力された静止画の編集シートから希望する処理を選択してチェックを書き込む。さらに、静止画を合成したい静止画のサムネイルの前の条件指定ボックスに静止画のページ番号を書き込む。ユーザは、必要な事項を書き込んだ静止画の編集シートと、挿入したい静止画の原稿と、を合わせてスキャナ部２０にセットし、操作部１４を用いて読み込み処理の開始を指示する。
【０１１１】
中央処理部１０は、読み込み処理の開始命令を受けると、スキャナ部２０にセットされた静止画の編集シート及び静止画の原稿を読み取り、そのデータを記憶部１２に格納及び保持させる。このとき、編集シートと共に読み取られた静止画には、静止画の読み取り順にページ番号を割り付けて記憶部１２に記憶させる。この処理が編集シート認識手段４０の一部を構成する。
【０１１２】
ステップＳ４０では、読み取られた静止画の編集シートの画像解析が行われる。中央処理部１０は、記憶部１２に保持されている編集シートの画像データを読み出し、処理選択ボックスの中から選択された処理を抽出する。本実施の形態では、合成処理が指定されたものとして以下の説明を行う。また、読み取られた編集シートに含まれるサムネイル画像に付された静止画の番号を抽出する。この処理が編集シート認識手段４０の一部を構成する。
【０１１３】
例えば、図２３に示すように、処理選択ボックスの中の合成処理のボックスにチェックが記入されている場合には合成処理が指定されたものと解析される。また、１番目の静止画のサムネイルの前と、１番目の静止画と２番目の静止画のサムネイル間の条件指定ボックスに静止画のページ番号１，２がそれぞれ書き込まれている場合、１番目の静止画に合わせて読み込まれた１ページ目の静止画を合成し、２番目の静止画に合わせて読み込まれた２ページ目の静止画を合成すると解析される。この解析結果は、図２４に示すように、挿入データベースとして記憶部１２に格納及び保持される。
【０１１４】
ステップＳ４２では、ステップＳ４０で解析された編集シートの内容に基づいて静止画の合成処理が行われる。中央処理部１０は、ステップＳ４０において合成対象とされた静止画の画像データを読み出し、指定された静止画のデータを合成する。
【０１１５】
例えば、図２３に示す編集シートの場合、図２５に示すように、番号Ｐ００１の静止画の画像データが記憶部１２や外部メモリスロット部１８に装着されたメモリカード等から読み出され、その画像データに１ページ目の写真の静止画のファイルが合成される。合成処理は既存のアルゴリズムで行うことができる。また、番号Ｐ００２の静止画の画像データにも読み込まれた２ページ目の手書き文字の静止画のファイルが合成される。生成された新たな静止画のデータは新規静止画データとして記憶部１２に格納及び保存される。また、記憶部１２と共に、又は、記憶部１２の代りに外部メモリスロット部１８に装着されたメモリカード等に格納してもよい。この処理が画像合成手段４４の一部を構成する。
【０１１６】
なお、編集シートに手書き記入した場合、ユーザよる記入漏れや、ステップＳ３８における読み取り処理、ステップＳ４０における解析処理においての誤認識の可能性があるので、ステップＳ４０の解析処理において表示部１６に処理内容を表示し、適宜ユーザが確認及び修正をすることができるようにしてもよい。
【０１１７】
また、既に記憶部１２やメモリカードに格納されている静止画同士を合成してもよい。この場合は、上記変形例１のステップＳ１０〜Ｓ２２と同様の処理が行われる。その後、編集シートからのデータの読み取り処理が行われる。ユーザは、静止画の編集シートから希望する処理を選択してチェックを書き込む。さらに、静止画を合成したい静止画のサムネイルの前の条件指定ボックスに、静止画の編集シートの合成しようとするサムネイル画像の番号を書き込む。そして、静止画の編集シートをスキャナ部２０にセットし、操作部１４を用いて読み込み処理の開始を指示する。これにより、スキャナ部２０にセットされた静止画の編集シートが読み取られ、そのデータが記憶部１２に格納及び保持させる。
【０１１８】
次に、中央処理部１０は、記憶部１２に保持されている編集シートの画像データを読み出して解析を行う。この処理が編集シート認識手段４０の一部を構成する。例えば、図２６に示すように、処理選択ボックスの中の合成処理のボックスにチェックが記入されている場合には合成処理が指定されたものと解析される。また、１番目の静止画のサムネイルの前の条件指定ボックスに３番目の静止画の番号Ｐ００３が書き込まれている場合、１番目の静止画に３番目の静止画を合成すると解析される。さらに、番号Ｐ００２の静止画の画像データにも同時に読み込まれた原稿の１ページ目の手書き文字の静止画を合成すると解析される。解析結果は、合成データベースとして記憶部１２に格納及び保持される。図２６の例の場合、合成データベースは図２７のようになる。これらの処理が編集シート認識手段４０の一部を構成する。
【０１１９】
そして、解析された編集シートの内容に基づいて静止画の合成処理が行われる。中央処理部１０は、合成対象とされた静止画の画像データを読み出し、指定された静止画のデータを合成する。例えば、図２６に示す編集シートの場合、図２８に示すように、番号Ｐ００１の静止画及び番号Ｐ００３の画像データが記憶部１２や外部メモリスロット部１８に装着されたメモリカード等から読み出され、番号Ｐ００１の画像に番号Ｐ００３の画像を合成する。合成処理は既存のアルゴリズムで行うことができる。また、番号Ｐ００２の静止画の画像データにも読み込まれた１ページ目の手書き文字の静止画のファイルが合成される。生成された新たな静止画のデータは新規静止画データとして記憶部１２に格納及び保存される。また、記憶部１２と共に、又は、記憶部１２の代りに外部メモリスロット部１８に装着されたメモリカード等に格納してもよい。この処理が画像合成手段４４の一部を構成する。
【０１２０】
もちろん、複数の静止画の編集シートを用いてもよい。すなわち、複数の静止画の編集シートを重ねてスキャナ部２０によって読み取り、静止画の編集シートに画像形成されているサムネイル画像に割り振られた番号を合成先の静止画のサムネイル画像の条件指定ボックスに書き込むことによって、複数の静止画の編集シートを相互に参照しつつ、合成処理を行ってもよい。
【０１２１】
＜変形例５＞
本変形例における処理は、動画のシーンの間に別の動画のシーンを挿入する（連結する）例である。
【０１２２】
処理は図２９のフローチャートに沿って実行される。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【０１２３】
ステップＳ１０〜Ｓ１４の処理は上記実施の形態と同様に処理される。ただし、本変形例では、動画の編集シートが２つ生成される。このとき、各編集シートには、それぞれのシートに対してユーザが指定した複数の動画における各シーンを代表するサムネイル画像を形成して出力させる。また、動画が保存されているフォルダ毎に格納されている複数の動画を代表するサムネイル画像を形成して出力してもよい。
【０１２４】
ステップＳ４４では、編集シートからのデータの読み取り処理が行われる。ユーザは、ステップＳ１４において出力された編集シートの処理選択ボックスから希望する処理を選択してチェックを書き込み、さらに、挿入先となる動画のシーンのサムネイル間の条件指定ボックスに別の動画のサムネイル画像に割り振られた番号を書き込む。ユーザは、複数の動画の編集シートを合わせてスキャナ部２０にセットし、操作部１４を用いて読み込み処理の開始を指示する。
【０１２５】
中央処理部１０は、読み込み処理の開始命令を受けると、スキャナ部２０にセットされた複数の編集シートを読み取り、そのデータを記憶部１２に格納及び保持させる。この処理が編集シート認識手段４０の一部を構成する。
【０１２６】
ステップＳ４６では、読み取られた編集シートの画像解析が行われる。中央処理部１０は、記憶部１２に保持されている編集シートの画像データを読み出し、処理選択ボックスの中から選択された処理を抽出する。本実施の形態では、挿入処理が指定されたものとして以下の説明を行う。また、読み取られた編集シートに含まれるサムネイル画像で代表される動画のシーンの識別子（動画のタイムコード等）、条件指定ボックスのうち動画の番号の書き込みがあるものから番号を読み取り、その前後のサムネイル画像で特定される動画のシーンのタイムコードと対応付ける。これらのデータは、挿入データベースとして記憶部１２に保存する。この処理が編集シート認識手段４０の一部を構成する。
【０１２７】
例えば、図３０に示すように、処理選択ボックスの中の挿入処理のボックスにチェックが記入されている場合には、挿入処理が指定されたものと解析される。１番目のサムネイル画像（００００）と２番目のサムネイル画像（０４Ｅ２）との間の条件指定ボックスには動画の番号Ａ０００が記入されているので、１番目のサムネイル画像（００００）で特定される動画のシーンと２番目のサムネイル画像（０４Ｅ２）で特定される動画のシーンとの間に２枚目の動画の編集シートの番号Ａ０００で特定される動画を挿入すると解析される。この場合の挿入データベースは図３１に示すようなものとなる。
【０１２８】
ステップＳ４８では、解析された編集シートの内容に基づいて動画の挿入処理が行われる。中央処理部１０は、ステップＳ４６において解析された挿入先となっている動画のシーンのタイムコードに基づいて、挿入前後のシーンの動画内での位置を求め、その位置で動画のデータを分割する。そして、中央処理部１０は、条件指定ボックスに番号により指定された動画を記憶部１２又は外部メモリスロット部１８に装着されたメモリカード等から読み出し、挿入先として指定されたシーン間にその動画データを挿入する。挿入により新たに生成された動画のデータは新規動画データとして記憶部１２に格納及び保存される。また、記憶部１２と共に、又は、記憶部１２の代りに外部メモリスロット部１８に装着されたメモリカード等に格納してもよい。この処理が画像連結手段４６の一部を構成する。
【０１２９】
例えば、図３０の例では、図３２に示すように、１番目のサムネイル画像（００００）で特定される動画のシーンと２番目のサムネイル画像（０４Ｅ２）で特定される動画のシーンとの間に、２枚目の動画の編集シートの番号Ａ０００のサムネイル画像を代表とする動画のシーンが挿入される。
【０１３０】
なお、編集シートに手書き記入した場合、ユーザよる記入漏れや、ステップＳ４４における読み取り処理、ステップＳ４６における解析処理においての誤認識の可能性があるので、ステップＳ４６の解析処理において表示部１６に処理内容を表示し、適宜ユーザが確認及び修正をすることができるようにしてもよい。
【０１３１】
＜変形例６＞
本変形例は動画の連結処理又は削除処理の例である。また、上記実施の形態及び変形例を組み合わせて行う処理についての例である。
【０１３２】
処理は図３３のフローチャートに沿って実行される。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【０１３３】
ステップＳ１０〜Ｓ１４の処理は上記変型例５と同様に処理される。本変形例においても、動画の編集シートが２つ生成される。
【０１３４】
ステップＳ５０では、編集シートからのデータの読み取り処理が行われる。ユーザは、ステップＳ１４において出力された編集シートの処理選択ボックスから希望する処理を選択してチェックを書き込む。本変型例では連結処理が選択される。また、連結処理と同時に合成処理や挿入処理が必要であれば処理選択ボックスにおいて指定する。ユーザは、複数の動画の編集シートを合わせてスキャナ部２０にセットし、操作部１４を用いて読み込み処理の開始を指示する。
【０１３５】
中央処理部１０は、読み込み処理の開始命令を受けると、スキャナ部２０にセットされた複数の編集シートを読み取り、そのデータを記憶部１２に格納及び保持させる。この処理が編集シート認識手段４０の一部を構成する。
【０１３６】
ステップＳ５２では、読み取られた編集シートの画像解析が行われる。中央処理部１０は、記憶部１２に保持されている編集シートの画像データを読み出し、処理選択ボックスの中から選択された処理を抽出する。本実施の形態では、少なくとも連結処理が指定されたものとして以下の説明を行う。また、読み取られた編集シートに含まれるサムネイル画像で代表される動画のシーンの識別子（動画のタイムコード等）、条件指定ボックスのうち動画の番号の書き込みがあるものから番号や秒数を読み取り、サムネイル画像で特定される動画のシーンのタイムコードと対応付ける。これらのデータは、挿入データベースや合成データベースとして記憶部１２に保存する。これらの処理は上記実施の形態や変型例と同様であるので説明は省略する。この処理が編集シート認識手段４０の一部を構成する。
【０１３７】
例えば、図３４に示すように、処理選択ボックスの中の連結処理のボックスにチェックが記入されている場合には、連結処理が指定されたものと解析される。
【０１３８】
さらに、１枚目の編集シートにおいて、挿入処理のボックスもチェックされており、１番目のサムネイル画像（００００）と２番目のサムネイル画像（０４Ｅ２）との間の条件指定ボックスにはページ番号「１」と秒数「５」が記入されているので、１番目のサムネイル画像（００００）で特定される動画のシーンと２番目のサムネイル画像（０４Ｅ２）で特定される動画のシーンとの間に編集シートに重ねて読み込まれた１ページ目の静止画から生成された動画を５秒間挿入すると解析される。また、２枚目の編集シートにおいて、合成処理のボックスもチェックされており、１番目のサムネイル画像（Ａ０００）と２番目のサムネイル画像（Ａ５２Ｅ）との間の条件指定ボックスにはページ番号「２」と秒数「３」が記入されているので、２番目のサムネイル画像（Ａ５２Ｅ）で特定される動画の先頭に編集シートに重ねて読み込まれた２ページ目の静止画から生成された動画を３秒間合成すると解析される。
【０１３９】
さらに、１枚目の編集シートにおいて、３番目のサムネイル画像（０ＥＡ６）の下に設けられた削除ボックスがチェックされており、これにより１枚目の編集シートにおける３番目のサムネイル画像（０ＥＡ６）で特定される動画のシーンを削除すると解析される。
【０１４０】
ステップＳ５４では、解析された編集シートの内容に基づいて動画の連結処理を含む各処理が行われる。まず、中央処理部１０は、ステップＳ５２において解析された挿入処理と合成処理を行う。これらの処理については上記実施の形態及び変型例と同様であるので説明を省略する。さらに、削除が指定された動画のシーンをその動画のデータから削除する処理を行う。その後、複数の動画の編集シートに含まれる動画同士を連結する。動画は、編集シートを読み込んだ順に連結される。
【０１４１】
例えば、図３４の例に対しては、図３５に示すように、１枚目の編集シートに表されているサムネイル画像で特定される動画のシーンの次に、２枚目の編集シートに表されているサムネイル画像で特定される動画のシーンが続くように動画が連結される。
【０１４２】
なお、本変型例では編集シートを２枚重ねて読み取る例を説明したが、３枚以上の編集シートを用いてもよい。この場合、編集シートを読み取った順に動画のデータを連結するものとする。
【０１４３】
また、編集シートに手書き記入した場合、ユーザよる記入漏れや、ステップＳ５０における読み取り処理、ステップＳ５２における解析処理においての誤認識の可能性があるので、ステップＳ５２の解析処理において表示部１６に処理内容を表示し、適宜ユーザが確認及び修正をすることができるようにしてもよい。
【０１４４】
＜変型例７＞
本変型例での処理は、ユーザが編集シートに手書き記入や貼り付けた静止画を動画のシーン間や動画のシーンの一部に動画として挿入する例である。
【０１４５】
編集処理は図３６のフローチャートに沿って実行される。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【０１４６】
ステップＳ１０及びＳ１２の処理は上記実施の形態と同様であるので説明を省略する。ステップＳ５６では、編集シートの出力処理が行われる。中央処理部１０は、静止画挿入処理が指定されると、以下の編集シート出力処理を実行する。まず、記憶部１２から動画を読み出し、動画のシーン分割処理を行う。さらに、中央処理部１０は、動画から抽出したシーン毎の代表となる静止画を縮小したサムネイル画像を生成する。本実施の形態におけるサムネイル画像は、人間が認識できる程度に減色したものとする。
【０１４７】
中央処理部１０は、さらに、編集シートを生成する。図３７に示すように、サムネイル画像５４、タイムコード５６、処理選択ボックス（処理選択領域）５０、条件指定ボックス（条件指定領域）５２に加えて、スクロール指定ボックス（スクロール指定領域）７０及び画像記入ボックス（画像記入領域）７２を含む編集シートを生成する。スクロール指定ボックス（スクロール指定領域）７０は、画像記入ボックス（画像記入領域）７２に付された番号をユーザが記入することによって動画のシーン間においてスクロール表示させる静止画を指定するために用いられる。画像記入ボックス（画像記入領域）７２は、サムネイル画像５４やスクロール指定ボックス（スクロール指定領域）７０においてスクロール対象として指定された画像を記入又は貼り付けるための領域として用いられる。
【０１４８】
中央処理部１０は、生成された編集シート画像を画像形成部２２へ送信し、画像形成部２２によって編集シート画像を印刷媒体上に画像形成させる。この処理が編集シート生成手段３８の一部を構成する。
【０１４９】
ステップＳ５８では、編集シートからのデータの読み取り処理が行われる。ユーザは、読み取り処理の前に、スクロール処理させる画像を画像記入ボックス７２に記入又は貼り付ける等する。さらに、動画のシーン間でスクロールさせるなら、その挿入先となる動画のシーンを代表するサムネイル画像５４間のスクロール指定ボックス７０に画像記入ボックス７２の番号を書き込むと共に、そのスクロール方向を矢印で書き込む。動画のシーン内でスクロールさせるなら、その挿入先となる動画のシーンを代表するサムネイル画像５４内に画像記入ボックス７２の番号を書き込むと共に、そのスクロール方向を矢印で書き込む。その後、ユーザは、編集シートをスキャナ部２０にセットし、操作部１４を用いて読み込み処理の開始を指示する。
【０１５０】
中央処理部１０は、読み込み処理の開始命令を受けると、スキャナ部２０にセットされた編集シートを読み取り、そのデータを記憶部１２に格納及び保持させる。この処理が編集シート認識手段４０の一部を構成する。
【０１５１】
ステップＳ６０では、読み取られた編集シートの画像解析が行われる。中央処理部１０は、記憶部１２に保持されている編集シートの画像データを読み出し、既存の画像解析処理を用いてユーザにより指示された処理を抽出する。
【０１５２】
読み取られた編集シートに含まれるサムネイル画像５４に番号が記載されていれば、そのサムネイル画像５４で示される動画内においてスクロールさせるように静止画を合成するものと解析される。この場合、そのサムネイル画像５４のシーンの識別子（動画のタイムコード等）と、画像記入ボックス７２の番号と、を関連付けてスクロールデータベースとして記憶部１２に保存する。また、スクロール指定ボックス７０に番号が記載されていれば、スクロール指定ボックス７０の前後のサムネイル画像５４で示される動画のシーン間にスクロールさせるように静止画を挿入するものと解析される。この場合、前後のサムネイル画像５４のシーンの識別子（動画のタイムコード等）と、画像記入ボックス７２の番号と、を関連付けてスクロールデータベースとして記憶部１２に保存する。この処理が編集シート認識手段４０の一部を構成する。
【０１５３】
例えば、図３８に示すように、１番目のサムネイル画像内に番号「２」が記入されている場合、１番目のサムネイル画像で示される動画のシーンのタイムコード「０００００」と番号「２」とが関連付けられてスクロールデータベースに登録される。また、２番目のサムネイル画像と３番目のサムネイル画像との間のスクロール指定ボックス７０に「３」が記入されている場合、２番目のサムネイル画像で示される動画のタイムコード「０４Ｅ２０」と３番目のサムネイル画像で示される動画のタイムコード「０ＥＡ６０」と番号「３」とが関連付けられてスクロールデータベースに登録される。その結果、図３９に示すようなスクロールデータベースが生成される。
【０１５４】
さらに、サムネイル画像５４又はスクロール指定ボックス７０の番号を起点として付されているスクロールの方向を示す矢印の向きを画像解析処理により求め、その矢印の方向をスクロールデータベースに登録する。矢印は一本の線分の一端に二本の線分が交わっている画像とする。線分の交点の判定はある程度の余裕をみて行う。三本の線分が交わっている部分を矢印の終点として、線分の反対を始点とする。矢印の向きを調べる方法はどのようなものでもよいが、例えば、矢印の始点と終点とを求めて、図４０に示す８方向（上、右上、右、右下、下、左下、左、左上）の基準方向のうち最も近い方向を矢印の方向として求めてもよい。また、始点と終点の水平方向への差分が垂直方向への差分よりも大きな場合を水平方向の矢印と判断し、そうでない場合を垂直方向の矢印と判断してもよい。垂直方向の矢印である場合、終点が始点よりも画面の上にあれば上方向への矢印、逆の場合には下方向の矢印と判断するものとしてもよい。水平方向の矢印である場合、終点が始点よりも画面の左にあれば左方向への矢印、逆の場合には右方向の矢印と判断するものとしてもよい。図３８の例について矢印の方向を求めた場合、図３９に示すようなスクロールデータベースが生成される。
【０１５５】
ステップＳ６２では、ステップＳ６０で解析された編集シートの内容に基づいてスクロール処理が行われる。中央処理部１０は、動画のタイムコードで特定される動画のシーンを記憶部１２から読み出す。すなわち、スクロール画像の挿入対象となっているシーンのタイムコードに基づいて動画のデータを分割する。そして、上記処理により静止画から変換された動画像を分割されたシーン内又はシーン間に挿入する。スクロール処理により新たに生成された新規動画データは記憶部１２に格納及び保存される。また、記憶部１２と共に、又は、記憶部１２の代りに外部メモリスロット部１８に装着されたメモリカード等に格納してもよい。この処理が画像連結手段４６の一部を構成する。
【０１５６】
例えば、図３８に示す編集シートを読み取った場合、図４１に示すように、１番目のサムネイル画像で特定される動画のシーン内に２番の画像記入ボックス７２に記入された画像が左から右へとスクロールするように合成される。このとき、中央処理部１０は、２番の画像記入ボックス７２から読み込まれた各静止画を予め設定されたサイズ及び時間でスクロールする動画に変換する動画像生成処理を行い、その動画を対象となる動画に合成する。また、図４２に示すように、２番目のサムネイル画像で特定される動画のシーンと３番目のサムネイル画像で特定される動画のシーンとの間に３番の画像記入ボックス７２に記入された画像が上から下へとスクロールするように挿入される。このとき、中央処理部１０は、３番の画像記入ボックス７２から読み込まれた各静止画を予め設定されたサイズ及び時間でスクロールする動画に変換する動画像生成処理を行い、その動画を対象となる動画間に挿入する。動画像生成処理には既存のアルゴリズムを用いることができる。この処理が動画シーン生成手段４２の一部を構成する。
【０１５７】
スクロールデータベースに登録されているスクロール方向については基準方向毎に画面上のスクロール範囲を決めておいてもよい。具体的には、図４３に示すように、その基準方向（上、右上、右、右下、下、左下、左、左上）毎に画面上の所定の始点から終点までをスクロール範囲としてもよい。例えば、「右」方向であれば図４３の第４領域から第６領域に亘る範囲をスクロール範囲とする。
【０１５８】
なお、本変型例では、各画像についてスクロール方向は一方向に量子化するものとしたが、編集シート内に記載された矢印の軌跡に沿ってスクロールさせるものとしてもよい。例えば、図４４のように、サムネイル画像内に矢印が記入された編集シートを読み取った場合、図４５のように、その番号の画像記入ボックスの画像を矢印の軌跡に沿って画像内でスクロール表示させる動画を生成してもよい。
【０１５９】
また、編集シートに番号のみが記入され、矢印が付されていない場合には、単純合成として指定された番号の静止画をスクロールさせることなく動画に合成するものとしてもよい。
【０１６０】
＜変型例８＞
本変型例での処理は、動画のシーンに対するフェードイン、フェードアウト、ワイプイン等の例である。
【０１６１】
編集処理は図４６のフローチャートに沿って実行される。記憶部１２に編集プログラムが格納及び保持されており、中央処理部１０はこのプログラムを読み出し、編集装置１００の各部の機能を利用して編集処理を実現する。この編集処理は、図２に示す各手段を組み合わせることによって実現することができる。
【０１６２】
ステップＳ１０，Ｓ１２及びＳ５６の処理は上記変形例７と同様であるので説明を省略する。ステップＳ６４では、編集シートからのデータの読み取り処理が行われる。ユーザは、読み取り処理の前に、フェードイン処理をさせる動画のシーンのサムネイル画像の左縁にフェードインを示す記号を記入する。また、フェードアウト処理をさせる動画のシーンのサムネイル画像の右縁にフェードアウトを示す記号を記入する。また、ワイプイン処理をさせる動画のシーンのサムネイル画像の縁にワイプインを示す記号を記入する。その後、ユーザは、編集シートをスキャナ部２０にセットし、操作部１４を用いて読み込み処理の開始を指示する。
【０１６３】
フェードイン、フェードアウト、ワイプインを示す記号は、ユーザにとってこれらの処理の印象にマッチした記号とするとよい。例えば、図４７に示すように、フェードイン又はフェードアウトを示す記号７４，７６は「×」とすれば、画像を徐々に強く表示するフェードイン又は画像を徐々に弱く表示するフェードアウトに対する日本人の印象にあったものとなる。また、ワイプインを示す記号７８は「○」とすれば、画像を通常の強度でスクロールさせながら表示させるワイプインに対する日本人の印象にあったものとなる。処理の印象にマッチする記号は各国で異なるので、それぞれに応じて記号を変更してもよい。
【０１６４】
中央処理部１０は、読み込み処理の開始命令を受けると、スキャナ部２０にセットされた編集シートを読み取り、そのデータを記憶部１２に格納及び保持させる。この処理が編集シート認識手段４０の一部を構成する。
【０１６５】
ステップＳ６６では、読み取られた編集シートの画像解析が行われる。中央処理部１０は、記憶部１２に保持されている編集シートの画像データを読み出し、既存の画像解析処理を用いてユーザにより指示された処理を抽出する。
【０１６６】
読み取られた編集シートに含まれるサムネイル画像の左縁にフェードインを示す記号７４、すなわち「×」が記入されている場合、そのサムネイル画像で特定される動画のシーンの先頭部分を前のサムネイル画像で特定される動画のシーンの後にフェードインさせる処理が指定されているものと解析される。読み取られた編集シートに含まれるサムネイル画像の右縁にフェードアウトを示す記号７６、すなわち「×」が記入されている場合、そのサムネイル画像で特定される動画のシーンの末尾部分を後のサムネイル画像で特定される動画のシーンの前でフェードアウトさせる処理が指定されているものと解析される。また、読み取られた編集シートに含まれるサムネイル画像の縁にワイプインを示す記号７８、すなわち「○」が記入されている場合、そのサムネイル画像で特定される動画のシーンの先頭部分を前のサムネイル画像で特定される動画のシーンの末尾部分にワイプインさせる処理が指定されているものと解析される。これらの解析結果は特殊処理データベースとして記憶部１２に保存する。この処理が編集シート認識手段４０の一部を構成する。
【０１６７】
例えば、図４７に示すように、２番目のサムネイル画像の左縁に「×」が記入されている場合、２番目のサムネイル画像で示される動画のシーンのタイムコード「０４Ｅ２０」とフェードインとが関連付けられて特殊処理データベースに登録される。また、３番目のサムネイル画像の右縁に「×」が記入されている場合、３番目のサムネイル画像で示される動画のタイムコード「０ＥＡ６０」とフェードアウトとが関連付けられて特殊処理データベースに登録される。また、５番目のサムネイル画像の左縁に「○」が記入されている場合、５番目のサムネイル画像で示される動画のタイムコード「０Ｆ５２０」とワイプインとが関連付けられて特殊処理データベースに登録される。その結果、図４８に示すような特殊処理データベースが生成される。
【０１６８】
ステップＳ６８では、ステップＳ６６で解析された編集シートの内容に基づいてフェードイン処理、フェードアウト処理、ワイプイン処理を施した動画が生成される。中央処理部１０は、特殊処理データベースを参照し、そこに登録されているタイムコードで特定される動画のシーンを記憶部１２から読み出す。すなわち、スクロール画像の挿入対象となっているシーンのタイムコードに基づいて動画のデータを分割する。
【０１６９】
特殊処理データベースにフェードイン処理が登録されている場合、フェードイン処理の対象となる動画のシーンの先頭の所定時間分の映像について、その前の動画のシーンに続いて徐々に輝度が高くなるように処理を施す。これにより、対象となる動画のシーンが少しずつ画面上に現れてくるフェードイン効果を得ることができる。
【０１７０】
例えば、図４７に示すように、２番目のサムネイル画像で特定される動画のシーンがフェードイン処理の対象とされている場合、図４９に示すように、その前の動画のシーン後、２番目のサムネイル画像で特定される動画のシーンの先頭部分が徐々に強くなるようにフェードイン処理が施される。
【０１７１】
特殊処理データベースにフェードアウト処理が登録されている場合、フェードアウト処理の対象となる動画のシーンの末尾の所定時間分の映像について、その後の動画のシーンの前において徐々に輝度が低くなるように処理を施す。これにより、対象となる動画のシーンが少しずつ画面上から消えていくフェードアウト効果を得ることができる。
【０１７２】
例えば、図４７に示すように、３番目のサムネイル画像で特定される動画のシーンがフェードアウト処理の対象とされている場合、図５０に示すように、その後の動画のシーンの前において動画のシーンの末尾が徐々に弱くなるようにフェードアウト処理が施される。
【０１７３】
特殊処理データベースにワイプイン処理が登録されている場合、ワイプイン処理の対象となる動画のシーンの先頭の所定時間分の映像について、その前の動画のシーンの末尾に重ね合わせて徐々にスクロールして現れるように処理を施す。これにより、対象となる動画のシーンが少しずつ画面上に現れてくるワイプイン効果を得ることができる。
【０１７４】
例えば、図４７に示すように、５番目のサムネイル画像で特定される動画のシーンがワイプイン処理の対象とされている場合、図５１に示すように、その前の動画のシーンの末尾に次の動画のシーンの先頭が画面右側から徐々にスクロールしながら現れるように処理が施される。
【０１７５】
これらの、動画像生成処理には既存のアルゴリズムを用いることができる。これらの処理が動画シーン生成手段４２の一部を構成する。
【０１７６】
なお、本変型例ではサムネイル画像の左縁にワイプインの記号を付した場合に対象となる動画のシーンを右から左へとずらしつつワイプインさせる処理を施したが、サムネイル画像においてワイプインの記号をつける縁の位置に応じてワイプインの方向を変更するものとしてもよい。例えば、サムネイル画像の右縁、上縁、下縁にワイプインの記号を付した場合、それぞれ右方向、上方向、下方向へ動画のシーンをずらすようにワイプイン処理を施すものとしてもよい。
【０１７７】
また、本変型例では、フェードイン処理、フェードアウト処理、ワイプイン処理を施す時間は予め設定されているものとしたが、編集シートにフェードイン、フェードアウト、ワイプインさせる時間を記入する領域を設けて、そこから読み出された時間分だけフェードイン処理、フェードアウト処理、ワイプイン処理を施すものとしてもよい。
【０１７８】
また、本変型例ではフェードイン処理、フェードアウト処理、ワイプイン処理を例に説明したが、編集シートにおいて指定できる処理はこれに限定されるものではない。編集シートにおいて各処理を指定するための記号を予め決めておき、その記号を編集シートの所定の位置（各サムネイル画像の所定の位置等）にユーザが記入して、スキャナで読み取らせることによって、その記号で特定される処理を動画の各シーンに施すものとしてもよい。
【図面の簡単な説明】
【０１７９】
【図１】本発明の実施の形態及び変形例における画像処理装置の構成を示す図である。
【図２】本発明の実施の形態及び変形例における画像処理装置の構成を示す機能ブロック図である。
【図３】本発明の実施の形態における画像処理方法のフローチャートである。
【図４】本発明の実施の形態における動画の編集シートの例を示す図である。
【図５】本発明の実施の形態における画像処理方法を説明する図である。
【図６】本発明の実施の形態における挿入データベースの例を示す図である。
【図７】本発明の実施の形態における画像処理の結果例を示す図である。
【図８】本発明の変形例１における画像処理方法のフローチャートである。
【図９】本発明の変形例１における静止画の編集シートの例を示す図である。
【図１０】本発明の変形例１における画像処理方法を説明する図である。
【図１１】本発明の変形例１における挿入データベースの例を示す図である。
【図１２】本発明の変形例１における画像処理の結果例を示す図である。
【図１３】本発明の変形例２における画像処理方法のフローチャートである。
【図１４】本発明の変形例２における画像処理方法を説明する図である。
【図１５】本発明の変形例２における挿入データベースの例を示す図である。
【図１６】本発明の変形例２における画像処理の結果例を示す図である。
【図１７】本発明の変形例３における画像処理方法のフローチャートである。
【図１８】本発明の変形例３における画像処理方法を説明する図である。
【図１９】本発明の変形例３における合成データベースの例を示す図である。
【図２０】本発明の変形例３における画像処理の結果例を示す図である。
【図２１】本発明の変形例３における画像処理方法を説明する図である。
【図２２】本発明の変形例４における画像処理方法のフローチャートである。
【図２３】本発明の変形例４における画像処理方法を説明する図である。
【図２４】本発明の変形例４における合成データベースの例を示す図である。
【図２５】本発明の変形例４における画像処理の結果例を示す図である。
【図２６】本発明の変形例４における画像処理方法を説明する図である。
【図２７】本発明の変形例４における合成データベースの例を示す図である。
【図２８】本発明の変形例４における画像処理の結果例を示す図である。
【図２９】本発明の変形例５における画像処理方法のフローチャートである。
【図３０】本発明の変形例５における画像処理方法を説明する図である。
【図３１】本発明の変形例５における挿入データベースの例を示す図である。
【図３２】本発明の変形例５における画像処理の結果例を示す図である。
【図３３】本発明の変形例６における画像処理方法のフローチャートである。
【図３４】本発明の変形例６における画像処理方法を説明する図である。
【図３５】本発明の変形例６における画像処理の結果例を示す図である。
【図３６】本発明の変形例７における画像処理方法のフローチャートである。
【図３７】本発明の変形例７における動画の編集シートの例を示す図である。
【図３８】本発明の変形例７における画像処理方法を説明する図である。
【図３９】本発明の変形例７におけるスクロールデータベースの例を示す図である。
【図４０】本発明の変形例７におけるスクロール方向の例を示す図である。
【図４１】本発明の変形例７における画像処理の結果例を示す図である。
【図４２】本発明の変形例７における画像処理の結果例を示す図である。
【図４３】本発明の変形例７における画像上のスクロール方向の例を示す図である。
【図４４】本発明の変形例７における画像処理の編集シートの例を示す図である。
【図４５】本発明の変形例７における画像処理の結果例を示す図である。
【図４６】本発明の変形例８における画像処理方法のフローチャートである。
【図４７】本発明の変形例８における画像処理方法を説明する図である。
【図４８】本発明の変形例８における特殊処理データベースの例を示す図である。
【図４９】本発明の変形例８におけるフェードイン処理の結果例を示す図である。
【図５０】本発明の変形例８におけるフェードアウト処理の結果例を示す図である。
【図５１】本発明の変形例８におけるワイプイン処理の結果例を示す図である。
【符号の説明】
【０１８０】
１０  中央処理部、１２  記憶部、１４  操作部、１６  表示部、１８  外部メモリスロット部、２０  スキャナ部、２２  画像形成部、２４  インターフェース部、３０  外部記憶読書手段、３２  静止画出力手段、３４  静止画入力手段、３６  動画シーン分解手段、３８  編集シート生成手段、４０  編集シート認識手段、４２  動画シーン生成手段、４４  画像合成手段、４６  画像連結手段、５０  処理選択ボックス、５２  条件指定ボックス、５４  サムネイル画像、５６  タイムコード、６０  処理選択ボックス、
６２  条件指定ボックス、６４  番号、６６  サムネイル画像、７０  スクロール指定ボックス、７２  画像記入ボックス、７４，７６，７８  記号、１００  編集装置。
【図１】
2009038484.tif 000003
【図２】
2009038484.tif 000004
【図３】
2009038484.tif 000005
【図４】
2009038484.tif 000006
【図６】
2009038484.tif 000007
【図８】
2009038484.tif 000008
【図１１】
2009038484.tif 000009
【図１３】
2009038484.tif 000010
【図１５】
2009038484.tif 000011
【図１７】
2009038484.tif 000012
【図１９】
2009038484.tif 000013
【図２２】
2009038484.tif 000014
【図２４】
2009038484.tif 000015
【図２７】
2009038484.tif 000016
【図２９】
2009038484.tif 000017
【図３１】
2009038484.tif 000018
【図３３】
2009038484.tif 000019
【図３６】
2009038484.tif 000020
【図３７】
2009038484.tif 000021
【図３８】
2009038484.tif 000022
【図３９】
2009038484.tif 000023
【図４０】
2009038484.tif 000024
【図４１】
2009038484.tif 000025
【図４２】
2009038484.tif 000026
【図４３】
2009038484.tif 000027
【図４４】
2009038484.tif 000028
【図４５】
2009038484.tif 000029
【図４６】
2009038484.tif 000030
【図４７】
2009038484.tif 000031
【図４８】
2009038484.tif 000032
【図４９】
2009038484.tif 000033
【図５０】
2009038484.tif 000034
【図５１】
2009038484.tif 000035
【図５】
2009038484.tif 000036
【図７】
2009038484.tif 000037
【図９】
2009038484.tif 000038
【図１０】
2009038484.tif 000039
【図１２】
2009038484.tif 000040
【図１４】
2009038484.tif 000041
【図１６】
2009038484.tif 000042
【図１８】
2009038484.tif 000043
【図２０】
2009038484.tif 000044
【図２１】
2009038484.tif 000045
【図２３】
2009038484.tif 000046
【図２５】
2009038484.tif 000047
【図２６】
2009038484.tif 000048
【図２８】
2009038484.tif 000049
【図３０】
2009038484.tif 000050
【図３２】
2009038484.tif 000051
【図３４】
2009038484.tif 000052
【図３５】
2009038484.tif 000053